(57)【要約】      （修正有）【課題】出力バッファの駆動時間の短縮と、出力バッファの出力遅延の改善を図ることが可能な駆動回路を提供する。【解決手段】第１の極性の第１駆動電圧と極性が反対の第２駆動電圧とを出力するＤ／Ａコンバータと、第１駆動電圧か第２駆動電圧のいずれかを選択して選択駆動電圧として出力する駆動電圧選択部と、選択駆動電圧を入力して表示装置のデータ電極へ駆動信号を出力する出力バッファと、駆動電圧選択部と出力バッファの間に設けられて、第１駆動電圧及び第２駆動電圧で駆動される出力バッファの入力端子間を、それぞれ短絡する第１短絡制御部と、短絡制御部が、第１駆動電圧で駆動される出力バッファの入力端子間と第２駆動電圧で駆動される出力バッファの入力端子間とをそれぞれ短絡しているときに、第１駆動電圧で駆動される出力バッファと第２駆動電圧で駆動される出力バッファとの入力端子間を短絡する第２短絡制御部とを備える。【選択図】図４
2011017776.tif 000002
【特許請求の範囲】
【請求項１】
画像データに基づいて、第１の極性の第１駆動電圧と、前記第１の極性とは極性が反対の第２駆動電圧とを出力するＤ／Ａコンバータと、
前記第１駆動電圧と前記第２駆動電圧とを入力して、前記第１駆動電圧か前記第２駆動電圧のいずれかを選択して選択駆動電圧として出力する駆動電圧選択部と、
前記選択駆動電圧を入力して、表示装置のデータ電極へ駆動信号を出力する出力バッファと、
前記駆動電圧選択部と前記出力バッファの間に設けられて、第１駆動電圧で駆動される出力バッファの入力端子間、及び、第２駆動電圧で駆動される出力バッファの入力端子間を、それぞれ短絡する第１短絡制御部と、
前記短絡制御部が、前記第１駆動電圧で駆動される出力バッファの入力端子間と、前記第２駆動電圧で駆動される出力バッファの入力端子間とを、それぞれ短絡しているときに、前記第１駆動電圧で駆動される出力バッファと、前記第２駆動電圧で駆動される出力バッファとの入力端子間を短絡する第２短絡制御部と
を備える駆動回路。
【請求項２】
請求項１に記載の駆動回路であって、
前記第２短絡制御部が、前記第１駆動電圧で駆動される出力バッファと前記第２駆動電圧で駆動される出力バッファとの入力端子間を短絡したときに、前記第１駆動電圧で駆動される出力バッファと前記第２駆動電圧で駆動される出力バッファとの入力端子を、前記第１駆動電圧と前記第２駆動電圧との中間電位へ駆動する第３短絡制御部
をさらに備える駆動回路。
【請求項３】
請求項１または請求項２に記載の駆動回路であって、
前記第１短絡制御部は、
第１駆動電圧で駆動される出力バッファの入力端子と接続する第１共通信号線と、
第１駆動電圧で駆動される出力バッファの入力端子を前記第１共通信号線に短絡する第１短絡スイッチと、
第２駆動電圧で駆動される出力バッファの入力端子と接続する第２共通信号線と、
第２駆動電圧で駆動される出力バッファの入力端子を前記第２共通信号線に短絡する第  ２短絡スイッチと
を備え、
前記第１スイッチと、前記第２スイッチは、同時に短絡する
駆動回路。
【請求項４】
請求項３に記載の駆動回路であって、
前記第２短絡制御部は、前記第１共通信号線と前記第２共通信号線とを短絡する第３短絡スイッチ
を備える駆動回路。
【請求項５】
請求項４に記載の駆動回路であって、
前記駆動電圧選択部は、
第１のタイミングで前記第１駆動電圧を前記出力バッファの入力端子へ接続する第１選択スイッチと、
第２のタイミングで前記第２駆動電圧を前記出力バッファの入力端子へ接続する第２選択スイッチと、
第１のタイミングで前記第２駆動電圧を前記出力バッファの入力端子へ接続する第３選択スイッチと、
第２のタイミングで前記第１駆動電圧を前記出力バッファの入力端子へ接続する第４選択スイッチと、
を備え、
前記第１、第２のタイミングは、前記表示装置における極性反転周期毎に交互に決定され、
前記出力バッファは、前記第１選択スイッチと前記第２選択スイッチと接続される出力バッファと、前記第３選択スイッチと前記第４選択スイッチとが接続される出力バッファとを、前記表示装置の隣接する画素ごとに交互に備える
駆動回路。
【請求項６】
請求項５に記載の駆動回路であって、
前記第３短絡制御部は、
前記中間電位に保持された第３共通信号線と、
前記第１共通信号線と前記第３共通信号線とを短絡する第４短絡スイッチと、
前記第２共通信号線と前記第３共通信号線とを短絡する第５短絡スイッチと
を備え、
前記第４短絡スイッチと前記第５短絡スイッチは、前記第３短絡スイッチが前記第１共通信号線と前記第２共通信号線とを短絡したときに短絡する
駆動回路。
【請求項７】
画像データに基づいて、第１の極性の第１駆動電圧と、前記第１の極性とは極性が反対の第２駆動電圧とを出力するステップと、
前記第１駆動電圧と前記第２駆動電圧とを入力して、前記第１駆動電圧か前記第２駆動電圧のいずれかを選択するステップと、
前記第１駆動電圧か前記第２駆動電圧のいずれかを選択駆動電圧として出力するステップと、
前記選択駆動電圧を入力して表示装置のデータ電極へ駆動信号を出力するステップと、
第１駆動電圧で駆動される出力バッファの入力端子間と第２駆動電圧で駆動される出力バッファの入力端子間とを、それぞれ短絡するステップと、
前記第１駆動電圧で駆動される出力バッファの入力端子間と前記第２駆動電圧で駆動される出力バッファの入力端子間とが、それぞれ短絡しているときに、前記第１駆動電圧で駆動される出力バッファと前記第２駆動電圧で駆動される出力バッファとの入力端子間を短絡するステップと
を備える駆動方法。
【請求項８】
請求項７に記載の駆動方法であって、
前記第１駆動電圧で駆動される出力バッファと前記第２駆動電圧で駆動される出力バッファとの入力端子間を短絡したときに、前記第１駆動電圧で駆動される出力バッファと前記第２駆動電圧で駆動される出力バッファとの入力端子を、前記第１駆動電圧と前記第２駆動電圧との中間電位へ駆動するステップ
をさらに備える駆動方法。
【請求項９】
請求項７または請求項８に記載の駆動方法であって、前記それぞれ短絡するステップは、
第１駆動電圧で駆動される出力バッファの入力端子を第１共通信号線に短絡し、同時に、第２駆動電圧で駆動される出力バッファの入力端子を第２共通信号線に短絡するステップ  
を含む駆動方法。
【請求項１０】
請求項９に記載の駆動方法であって、前記第１駆動電圧で駆動される出力バッファと前記第２駆動電圧で駆動される出力バッファとの入力端子間を短絡するステップは、
前記第１共通信号線と前記第２共通信号線とを短絡するステップ
を含む駆動方法。
【請求項１１】
請求項１０に記載の駆動方法であって、前記第１駆動電圧か前記第２駆動電圧のいずれかを選択するステップは、
第１のタイミングで前記第１駆動電圧を前記出力バッファの入力端子へ接続するステップと、
第２のタイミングで前記第２駆動電圧を前記出力バッファの入力端子へ接続するステップと、
第１のタイミングで前記第２駆動電圧を前記出力バッファの入力端子へ接続するステップと、
第２のタイミングで前記第１駆動電圧を前記出力バッファの入力端子へ接続するステップと
を含み、
前記第１、第２のタイミングは、前記表示装置における極性反転周期毎に交互に決定される駆動方法。
【請求項１２】
請求項１１に記載の駆動方法であって、前記中間電位へ駆動するステップは、
前記第１共通信号線と前記第２共通信号線とを短絡したときに、前記第１共通信号線と前記中間電位に保持された第３共通信号線とを短絡し、同時に、前記第２共通信号線と前記第３共通信号線とを短絡するステップと
を含む駆動方法。
【発明の詳細な説明】
【技術分野】
【０００１】
本発明は、ＬＣＤ（Ｌｉｑｕｉｄ  Ｃｒｙｓｔａｌ  Ｄｉｓｐｌａｙ）駆動回路に関する。
【背景技術】
【０００２】
ＬＣＤ（Ｌｉｑｕｉｄ  Ｃｒｙｓｔａｌ  Ｄｉｓｐｌａｙ）駆動回路（以下、ＬＣＤドライバ）は、ＨＤ−ＴＶ（Ｈｉｇｈ  ＤｅｆｉｎｉｔｉｏｎＴｅｌｅＶｉｓｉｏｎ）や、パーソナルコンピュータ（以下、ＰＣ）における画素数の増加や、画像ソースの高解像度化への対応が求められている。また、ＬＣＤドライバは、同時にＬＣＤ特有の表示のぶれ現象を無く動画を表示させたいという要求も受けている。そのため、ＬＣＤドライバが、１画素を書き込む時間は年々短くなっており、フレームレートは、６０Ｈｚから、１２０Ｈｚ、２４０Ｈｚと高速化している。このように、ＬＣＤドライバは、スイッチングの高速化が求められている。しかし、ＬＣＤドライバの出力ＡＭＰに画素負荷を駆動していない時間（ハイインピーダンス時間）が存在すると、有効な駆動時間がさらに短くなり、スイッチングの高速化が計れないという課題がある。
【０００３】
特許文献１は、チップ面積の増加を必要最小限に抑えながら、駆動電圧の出力遅延時間を短縮し、高速化、低消費電力化を実現できる駆動回路を開示している。
【０００４】
特許文献１の駆動回路は、駆動電圧生成手段と、選択出力手段と、電圧供給手段と、短絡手段とを備える。駆動電圧生成手段は、画像データに応じて隣接する画素間で極性が反対になる複数の信号電極駆動電圧を生成する。選択出力手段は、隣接する画素用の第１及び第２の駆動電圧を入力し、選択制御信号に応じて、上記第１及び第２の駆動電圧を第１及び第２の出力端子又は第２及び第１の出力端子にそれぞれ選択的に出力する単位選択出力手段を含む。電圧供給手段は、単位選択出力手段の第１及び第２の出力端子にそれぞれ接続され、表示装置の信号電極に対して駆動電圧をそれぞれ供給する第１及び第２の出力手段を含む。短絡手段は、単位選択出力手段の第１の出力端子と第２の出力端子との間に接続され、制御信号に応じて第１の出力端子と第２の出力端子とを電気的に接続する第１の単位短絡手段を含む。
【０００５】
以下、図１から図３を使用して、特許文献１における駆動回路の説明を行う。図１は、特許文献１における駆動回路の構成を示す図である。
【０００６】
特許文献１の駆動回路は、Ｄ／Ａコンバータ（以下、ＤＡＣ）４０と、出力回路５０とを備える。ＤＡＣ４０は、図示されない前段の回路から入力する画像データに応じて、ＬＣＤパネルの液晶素子に印加する正極及び負極の駆動信号をそれぞれ生成する。出力回路５０は、ＤＡＣ４０から入力する駆動信号をカラム線毎に極性を切り替えて出力する。ここで、画像データは、従来の技術により生成されて、ＤＡＣ４０へ入力されるため詳細な説明を省略する。
【０００７】
ＤＡＣ４０は、抵抗アレイ４１、４２と、複数のセレクタ４３−１〜４とを備える。なお、図１は、説明の簡易のため、ＤＡＣ４０の一部を示している。ＤＡＣ４０は、駆動するべきカラム線の本数に応じた数のセレクタを備える。例えば、３８４本のカラム線を駆動する場合には、ＤＡＣ４０は、３８４個のセレクタを備える。
【０００８】
抵抗アレイ４１、４２は、それぞれ正極と負極の駆動電圧を生成する抵抗アレイである。各抵抗アレイ４１、４２は、例えば、直列接続されている６３個の抵抗素子によって構成される。抵抗アレイ４１は、ガンマ補正用基準電圧ＧＭＡ１とＧＭＡ５とがそれぞれ両端から印加される。抵抗アレイ４２は、ガンマ補正用基準電圧ＧＭＡ６とＧＭＡ１０とがそれぞれ両端から印加される。ここで、ＧＭＡ１とＧＭＡ５は、正極側の基準電圧であり、ＧＭＡ６とＧＭＡ１０は、負極側の基準電圧である。抵抗アレイ４１は、ガンマ補正用基準電圧ＧＭＡ１とＧＭＡ５に基づいて、６４レベルの電圧を生成する。抵抗アレイ４１は、生成した６４レベルの電圧を、セレクタ４３−１、４３−３へ出力する。また、抵抗アレイ４２は、ガンマ補正用基準電圧ＧＭＡ６〜１０に基づいて、６４レベルの電圧を生成する。抵抗アレイ４２は、生成した６４レベルの電圧を、セレクタ４３−２、４３−４へ出力する。
【０００９】
セレクタ４３−１〜４は、図示されない前段の回路からそれぞれ６ビットの画像データを入力する。セレクタ４３−１〜４は、画像データに基づいて、抵抗アレイ４１、４２から入力する６４レベルの電圧のうちから一つのレベルを選択する。セレクタ４３−１、４３−３は、画像データに基づいて、抵抗アレイ４１から入力する６４レベルの正極の基準電圧のうちから一つのレベルを選択する。セレクタ４３−１は、出力回路５０のスイッチ５３−１、５３−２と接続されている。セレクタ４３−１は、選択した一つのレベルの電圧を、正極の駆動電圧としてスイッチ５３−１、５３−２へ出力する。セレクタ４３−３は、出力回路５０のスイッチ５３−３、５３−４と接続されている。セレクタ４３−３は、選択した一つのレベルの電圧を、正極の駆動電圧としてスイッチ５３−３、５３−４へ出力する。また、セレクタ４３−２、４３−４は、抵抗アレイ４２から入力する６４レベルの負極の基準電圧のうちから一つのレベルを選択する。セレクタ４３−２は、出力回路５０のスイッチ５３−１、５３−２と接続されている。セレクタ４３−２は、選択した一つのレベルの電圧を、負極の駆動電圧としてスイッチ５３−１、５３−２へ出力する。セレクタ４３−４は、出力回路５０のスイッチ５３−３、５３−４と接続されている。セレクタ４３−４は、選択した一つのレベルの電圧を、負極の駆動電圧としてスイッチ５３−３、５３−４へ出力する。
【００１０】
なお、ここでの正極、及び負極は、必ずしも信号の電位が接地電位ＧＮＤより高い、あるいは低いことを意味するものではない。ここでの正極、及び負極とは、ＬＣＤパネルの各液晶素子の共通電極の電位に対して、この電位より高い又は低いことを意味する。例えば、液晶素子の共通電極がＶｄｄ／２に設定されている場合、Ｖｄｄ／２より高い駆動電圧の極性を正として、逆にＶｄｄ／２より低い駆動電圧の極性を負として表記する。
【００１１】
出力回路５０は、出力バッファ５２−１〜４と、スイッチ５３−１〜４と、スイッチ５４−１〜４とを備える。なお、図１は、説明の簡易のため、出力回路５０の一部を示している。出力回路５０は、駆動するべきカラム線の本数に応じた数の出力バッファ、及び２種類の各スイッチを備える。例えば、３８４本のカラム線を駆動する場合には、出力回路５０は、３８４個の出力バッファと、各スイッチとを備える。
【００１２】
スイッチ５３−１、５３−２は、セレクタ４３−１、４３−２とそれぞれ接続されている。スイッチ５３−１、５３−２は、セレクタ４３−１、４３−２から、それぞれ正極の駆動電圧、及び負極の駆動電圧を入力する。同様に、スイッチ５３−３、５３−４は、セレクタ４３−３、４３−４とそれぞれ接続されている。スイッチ５３−３、５３−４は、セレクタ４３−３、４３−４から、それぞれ正極の駆動電圧、及び負極の駆動電圧を入力する。
【００１３】
スイッチ５３−１〜４は、外部から入力する極性選択信号ＳＥＬに応じて、駆動電圧の正極または負極を切り替える。極性選択信号ＳＥＬは、基準信号ＴＰ１によるＬＣＤパネルの一水平表示周期（以下、１Ｈ）毎にハイレベル「Ｈ」または、ローレベル「Ｌ」を切り替える。スイッチ５３−１〜４は、１Ｈ毎に極性を切り替えて選択した駆動電圧を、スイッチ５４−１〜４へ出力する。
【００１４】
図２は、特許文献１におけるスイッチ５３−１〜４の選択し得る３つの状態を示している。スイッチ５３−１〜４は、「ＯＮ１」、「ＯＦＦ」、「ＯＮ２」の３つの状態をとることができる。スイッチ５３−１〜４は、「ＯＮ１」あるいは「ＯＮ２」において、正極側、あるいは負極側のいずれかの入力端子と接続して、正極あるいは負極の駆動電圧を出力端子へ出力する。一方、スイッチ５３−１〜４は、「ＯＦＦ」において、いずれの入力端子とも接続せず、出力端子をハイインピーダンス状態に保持する。
【００１５】
スイッチ５４−１〜４は、共通信号線ＣＯＭと接続されている。スイッチ５４−１〜４は、外部からの短絡信号ＳＨＯＲＴに基づいて、「ＯＮ」することで、出力バッファ５２−１〜４の入力端子を共通信号線ＣＯＭに短絡させる。特許文献１の駆動回路は、スイッチ５３−１〜４が「ＯＦＦ」であるときに、スイッチ５４−１〜４を「ＯＮ」にして、出力バッファ５２−１〜４の入力端子を共通信号線ＣＯＭに短絡させる。
【００１６】
すなわち、スイッチ５３−１〜４が「ＯＮ１」あるいは「ＯＮ２」の状態では、スイッチ５４−１〜５４−４は、「ＯＦＦ」である。そのため、出力バッファ５２−１〜４は、スイッチ５３−１〜４から正極、あるいは負極の駆動電圧を入力して、カラム線へ出力する。一方、スイッチ５３−１〜４が「ＯＦＦ」の状態では、スイッチ５４−１〜５４−４は、「ＯＮ」である。そのため、スイッチ５４−１〜５４−４は、出力バッファ５２−１〜４の入力端子を、共通信号線ＣＯＭに短絡させる。この状態において、出力バッファ５２−１〜４は、共通信号線ＣＯＭを介して電気的に接続されることとなる。そのため、各出力バッファ５２−１〜４の入力端子において電化の再配分が行われる。
【００１７】
このように構成された特許文献１の駆動回路の動作を、図３を用いて説明する。図３は、特許文献１における駆動回路の動作方法を示すタイミングチャートである。
【００１８】
（ａ）は、１Ｈの周期を持つ基準信号ＴＰ１を示している。基準信号ＴＰ１は、１Ｈ毎に所定の幅を持つパルス信号である。（ｂ）は、セレクタ４３−１〜４へ入力される６ビット画像データ「Ｄ０〜５」を示している。画像データは、基準信号ＴＰ１の立ち下がりエッジにおいてラッチされる。（ｃ）は、極性選択信号ＳＥＬを示している。極性選択信号ＳＥＬは、基準信号ＴＰ１に同期してレベルが変わる。極性選択信号ＳＥＬは、１Ｈ毎に「Ｈ」と「Ｌ」を切り替えて保持される。スイッチ５３−１〜４は、基準信号ＴＰ１と極性選択信号ＳＥＬに基づいて制御される。スイッチ５３−１〜４は、ＴＰ１が「Ｈ」である間は、「ＯＦＦ」となる。また、（ｄ）は、短絡信号ＳＨＯＲＴを示している。短絡信号ＳＨＯＲＴは、ＴＰ１が「Ｈ」の間、「Ｈ」を維持する。スイッチ５４−１〜４は、短絡信号ＳＨＯＲＴが「Ｈ」の間、「ＯＮ」に保持され、出力バッファ５２−１〜４の入力端子が共通信号線ＣＯＭに接続される。（ｅ）及び（ｆ）は、それぞれ、スイッチ５３−１及び５３−２の出力信号を示している。また、（ｇ）は、（ｆ）の一部分を拡大した図である。
【００１９】
例えば、スイッチ５３−２の出力端子が、負極の駆動電圧ＧＭＡ１０から、正極の駆動電圧ＧＭＡ１に駆動される場合を例としてみる。基準信号ＴＰ１が「Ｈ」の間に短絡信号ＳＨＯＲＴが「Ｈ」であるのに応じて、スイッチ５４−１〜４が「ＯＮ」となる。このとき、スイッチ５３−１〜４は、「ＯＦＦ」であり、出力バッファ５２−１〜４の入力端子は、ハイインピーダンス状態である。そのため、出力バッファ５２−１〜４の入力端子は共通信号線ＣＯＭに接続されて、電化の再配分が行われる。その結果、出力バッファ５２−１〜４の入力端子が中間電位に近いレベルとなる。中間電位とは、例えば、ガンマ基準電圧ＧＭＡ５、６またはそれに近いレベルである。そして、ＴＰ１が「Ｌ」となり、スイッチ５４−２は、「ＯＦＦ」となる。同時に、極性選択信号ＳＥＬは「Ｈ」であるので、スイッチ５３−２は、正極の駆動伝あるＧＭＡ１に駆動される。
【００２０】
このように、特許文献１の駆動回路によれば、駆動信号の電圧の極性を切り替える前に、全ての出力バッファ５２−１〜４の入力端子間を、共通信号線ＣＯＭに接続して短絡させることで、出力バッファ５２−１〜４の入力端子を駆動電圧の最大値と最小値とのほぼ中間の電位に保持する。出力バッファ５２−１〜４の出力は、中間の電位から目標の駆動電圧レベルへ駆動するため、低消費電力で、高速な駆動特性を実現することができる
【先行技術文献】
【特許文献】
【００２１】
【特許文献１】特開２００１−２５５８５７号公報
【発明の概要】
【発明が解決しようとする課題】
【００２２】
しかし、特許文献１の駆動回路は、出力バッファ５２−１〜４への駆動電圧の駆動時間に無駄が生じてしまうという課題がある。特許文献１の駆動回路は、スイッチ５３−１〜４が３つの状態を有している。スイッチ５３−１〜４が「ＯＦＦ」の場合、出力バッファ５２−１〜４の入力信号はハイイインピーダンス状態となる。この間は、出力バッファ５２−１〜４に駆動電圧を駆動することができない。そのため、出力バッファ５２−１〜４の駆動時間に無駄が生じてしまう。
【００２３】
これはＤＡＣ４０が、正極、負極の２種類存在するのに対して、共通信号線ＣＯＭが１本であることによる。一般に、ＤＡＣ４０の出力する駆動電圧がＶＤＤ２〜ＶＳＳ２の範囲であるとすると、正極のＤＡＣの耐圧は、ＶＤＤ２〜１／２ＶＤＤ２程度であり、また、負極のＤＡＣの耐圧は、１／２ＶＤＤ２〜ＶＳＳ程度である。そのため、スイッチ５４−１〜４が「ＯＮ」であるときに、スイッチ５３−１〜４を「ＯＮ１」、あるいは「ＯＮ２」にすると、ＤＡＣ４０の正極、負極の出力をショートさせることとなり、両者の耐圧を超えてしまうことになる。これを避けるために、スイッチ５４−１〜４が「ＯＮ」の状態では、スイッチ５３−１〜４を「ＯＦＦ」にして、出力バッファ５２-１〜４の入力端子をハイインピーダンス状態にする必要がある。そのため、スイッチ５３−１〜４を「ＯＮ１」は、３つの状態が必要となる。
【課題を解決するための手段】
【００２４】
以下に、（発明を実施するための形態）で使用される番号を用いて、課題を解決するための手段を説明する。これらの番号は、（特許請求の範囲）の記載と（発明を実施するための形態）との対応関係を明らかにするために付加されたものである。ただし、それらの番号を、（特許請求の範囲）に記載されている発明の技術的範囲の解釈に用いてはならない。
【００２５】
本発明の駆動回路は、画像データに基づいて、第１の極性の第１駆動電圧と、第１の極性とは極性が反対の第２駆動電圧とを出力するＤ／Ａコンバータ（４０）と、第１駆動電圧と第２駆動電圧とを入力して、第１駆動電圧か第２駆動電圧のいずれかを選択して選択駆動電圧として出力する駆動電圧選択部（５５−１〜４、５６−１〜４）と、選択駆動電圧を入力して、表示装置のデータ電極へ駆動信号を出力する出力バッファ（５２−１〜４）と、駆動電圧選択部と出力バッファの間に設けられて、第１駆動電圧で駆動される出力バッファの入力端子間、及び、第２駆動電圧で駆動される出力バッファの入力端子間を、それぞれ短絡する第１短絡制御部（５７−１〜２、５８−１〜２）と、短絡制御部が、第１駆動電圧で駆動される出力バッファの入力端子間と、第２駆動電圧で駆動される出力バッファの入力端子間とを、それぞれ短絡しているときに、第１駆動電圧で駆動される出力バッファと、第２駆動電圧で駆動される出力バッファとの入力端子間を短絡する第２短絡制御部（５９−１）とを備える。
【００２６】
本発明の駆動方法は、画像データに基づいて、第１の極性の第１駆動電圧と、第１の極性とは極性が反対の第２駆動電圧とを出力するステップと、第１駆動電圧と第２駆動電圧とを入力して、第１駆動電圧か第２駆動電圧のいずれかを選択するステップと、第１駆動電圧か第２駆動電圧のいずれかを選択駆動電圧として出力するステップと、選択駆動電圧を入力して表示装置のデータ電極へ駆動信号を出力するステップと、第１駆動電圧で駆動される出力バッファの入力端子間と第２駆動電圧で駆動される出力バッファの入力端子間とを、それぞれ短絡するステップと、第１駆動電圧で駆動される出力バッファの入力端子間と第２駆動電圧で駆動される出力バッファの入力端子間とが、それぞれ短絡しているときに、第１駆動電圧で駆動される出力バッファと第２駆動電圧で駆動される出力バッファとの入力端子間を短絡するステップとを備える。
【発明の効果】
【００２７】
本発明によれば、出力回路の出力バッファの入力端子においてハイインピーダンス期間の存在しない駆動回路を提供することができる。これによって、出力回路は、出力バッファに対して常に駆動電圧を供給することができ、出力バッファの駆動時間の短縮と、出力バッファの出力遅延の改善を図ることができる。
【図面の簡単な説明】
【００２８】
【図１】特許文献１における駆動回路の構成を示す図である。
【図２】特許文献１におけるスイッチ５３−１〜４の選択し得る３つの状態を示している。
【図３】特許文献１における駆動回路の動作方法を示すタイミングチャートである。
【図４】第１実施形態における駆動回路の構成を示す図である。
【図５】第１実施形態における駆動回路の動作方法を示すタイミングチャートである。
【図６】第２実施形態における駆動回路の構成を示す図である。
【図７】第２実施形態における駆動回路の動作方法を示すタイミングチャートである。
【発明を実施するための形態】
【００２９】
添付図面を参照して、本発明の実施形態による駆動回路を以下に説明する。
【００３０】
（第１実施形態）
はじめに、本発明の第１実施形態の駆動回路の説明を行う。
【００３１】
［構成の説明］
まず、本実施形態における駆動回路の構成の説明を行う。なお、以下の説明において、図１〜図３を用いて説明を行った従来技術と同様の構成については、同様の符号を付して説明を行う。図４は、本実施形態における駆動回路の構成を示す図である。
【００３２】
本実施形態の駆動回路は、Ｄ／Ａコンバータ（以下、ＤＡＣ）４０と、出力回路５０とを備える。ＤＡＣ４０は、図示されない前段の回路から入力する画像データに応じて、ＬＣＤパネルの液晶素子に印加する正極及び負極の駆動信号をそれぞれ生成する。出力回路５０は、ＤＡＣ４０から入力する駆動信号をカラム線毎に極性を切り替えて出力する。ここで、画像データは、従来の技術により生成されて、ＤＡＣ４０へ入力されるため詳細な説明を省略する。
【００３３】
ＤＡＣ４０は、抵抗アレイ４１、４２と、複数のセレクタ４３−１〜４とを備える。なお、図４は、説明の簡易のため、ＤＡＣ４０の一部を示している。ＤＡＣ４０は、駆動するべきカラム線の本数に応じた数のセレクタを備える。ＤＡＣ４０は、従来技術で説明を行った特許文献１の駆動回路が備えるＤＡＣ４０とほぼ同様の構成である。
【００３４】
すなわち、抵抗アレイ４１は、外部からガンマ補正用基準電圧ＧＭＡ１とＧＭＡ５とをそれぞれ両端から印加されて、ガンマ補正用基準電圧ＧＭＡ１とＧＭＡ５に基づいて、６４レベルの電圧を生成する。抵抗アレイ４１は、６４レベルの電圧をセレクタ４３−１、４３−３へ出力する。また、抵抗アレイ４２は、ガンマ補正用基準電圧ＧＭＡ６とＧＭＡ１０とをそれぞれ両端から印加されて、ガンマ補正用基準電圧ＧＭＡ６とＧＭＡ１０に基づいて、６４レベルの電圧を生成する。抵抗アレイ４２は、６４レベルの電圧を、セレクタ４３−２、４３−４へ出力する。ここで、ＧＭＡ１とＧＭＡ５は、正極側の基準電圧であり、ＧＭＡ６とＧＭＡ１０は負極側の基準電圧である。なお、ここでの正極、及び負極は、必ずしも信号の電位が接地電位ＧＮＤより高い、あるいは低いことを意味するものではない。ここでの正極、及び負極とは、特許文献１における説明と同様に、ＬＣＤパネルの各液晶素子の共通電極の電位に対して、この電位より高い又は低いことを意味する。
【００３５】
また、セレクタ４３−１〜４は、外部から画像データを入力する。セレクタ４３−１〜４は、画像データに基づいて、抵抗アレイ４１、４２から入力する６４レベルの電圧のうちから一つのレベルを選択する。
【００３６】
本実施形態のセレクタ４３−１〜４は、出力回路５０の備えるスイッチとの接続関係が、従来異なる。セレクタ４３−１〜４は、選択した一つのレベルの電圧を、正極、あるいは負極の駆動電圧としてスイッチ５５−１〜４、及び５６−１〜４へ出力する。なお、セレクタ４３−１〜４と、スイッチ５５−１〜４、及び５６−１〜４との接続関係は、後述する。
【００３７】
出力回路５０は、出力バッファ５２−１〜４と、スイッチ５５−１〜４と、スイッチ５６−１〜４と、スイッチ５７−１〜２と、スイッチ５８−１〜２と、スイッチ５９−１とを備える。なお、図４は、説明の簡易のため、出力回路５０の一部を示している。出力回路５０は、駆動するべきカラム線の本数に応じた数の出力バッファ、及び各スイッチを備える。
【００３８】
スイッチ５５−１、５６−２は、セレクタ４３−１と接続されている。スイッチ５５−１、５６−２は、セレクタ４３−１から、正極の駆動電圧を入力する。また、スイッチ５５−２、５６−１は、セレクタ４３−２と接続されている。スイッチ５５−２、５６−１は、セレクタ４３−２から、負極の駆動電圧を入力する。スイッチ５５−１、５５−２は、基準信号ＴＰ１を入力する。スイッチ５５−１、５５−２は、基準信号ＴＰ１に基づいて、状態を「ＯＮ」あるいは「ＯＦＦ」に選択する。スイッチ５６−１、５６−２は、基準信号ＴＰ２を入力する。スイッチ５６−１、５６−２は、基準信号ＴＰ２に基づいて、状態を「ＯＮ」あるいは「ＯＦＦ」を選択する。
【００３９】
また、スイッチ５５−３、５６−４は、セレクタ４３−３と接続されている。スイッチ５５−３、５６−４は、セレクタ４３−３から、正極の駆動電圧を入力する。また、スイッチ５５−４、５６−３は、セレクタ４３−４と接続されている。スイッチ５５−４、５６−３は、セレクタ４３−４から、負極の駆動電圧を入力する。スイッチ５５−３、５５−４は、基準信号ＴＰ１を入力する。スイッチ５５−３、５５−４は、基準信号ＴＰ１に基づいて、状態を「ＯＮ」あるいは「ＯＦＦ」に選択する。スイッチ５６−３、５６−４は、基準信号ＴＰ２を入力する。スイッチ５６−３、５６−４は、基準信号ＴＰ２に基づいて、状態を「ＯＮ」あるいは「ＯＦＦ」を選択する。
【００４０】
スイッチ５８−１は、スイッチ５５−１、５６−１と接続される。また、スイッチ５８−１は、出力バッファ５２−１と接続される。スイッチ５８−１は、スイッチ５５−１から正極の駆動電圧、あるいはスイッチ５６−１から負極の駆動電圧を入力して、出力バッファ５２−１へ出力する。また、スイッチ５８−１は、ショート信号ＳＨＯＲＴ２を入力して、ショート信号ＳＨＯＲＴ２に基づいて、状態を「ＯＮ」または、「ＯＦＦ」に選択する。スイッチ５８−１は、「ＯＮ」において、共通信号線ＣＯＭ２と接続される。スイッチ５８−１は、「ＯＦＦ」において、共通信号線ＣＯＭ２から開放される。
【００４１】
スイッチ５７−１は、スイッチ５５−２、５６−２と接続される。また、スイッチ５７−１は、出力バッファ５２−２と接続される。スイッチ５７−１は、５６−２から正極の駆動電圧、あるいはスイッチ５５−２から負極の駆動電圧を入力して、出力バッファ５２−２へ出力する。また、スイッチ５７−１は、ショート信号ＳＨＯＲＴ１を入力して、ショート信号ＳＨＯＲＴ１に基づいて、状態を「ＯＮ」または、「ＯＦＦ」に選択する。スイッチ５７−１は、「ＯＮ」において、共通信号線ＣＯＭ１と接続される。スイッチ５７−１は、「ＯＦＦ」において、共通信号線ＣＯＭ１から開放される。
【００４２】
また、スイッチ５８−２は、スイッチ５５−３、５６−３と接続される。また、スイッチ５８−２は、出力バッファ５２−３接続される。スイッチ５８−２は、スイッチ５５−３から正極の駆動電圧、あるいはスイッチ５６−３から負極の駆動電圧を入力して、出力バッファ５２−３へ出力する。また、スイッチ５８−２は、ショート信号ＳＨＯＲＴ２を入力して、ショート信号ＳＨＯＲＴ２に基づいて、状態を「ＯＮ」または、「ＯＦＦ」に選択する。スイッチ５８−２は、「ＯＮ」において、共通信号線ＣＯＭ２と接続される。スイッチ５８−２は、「ＯＦＦ」において、共通信号線ＣＯＭ２から開放される。
【００４３】
スイッチ５７−２は、スイッチ５５−４、５６−４と接続される。また、スイッチ５７−２は、出力バッファ５２−４と接続される。スイッチ５７−２は、５６−４から正極の駆動電圧、あるいはスイッチ５５−４から負極の駆動電圧を入力して、出力バッファ５２−４へ出力する。また、スイッチ５７−２は、ショート信号ＳＨＯＲＴ１を入力して、ショート信号ＳＨＯＲＴ１に基づいて、状態を「ＯＮ」または、「ＯＦＦ」に選択する。スイッチ５７−２は、「ＯＮ」において、共通信号線ＣＯＭ２と接続される。スイッチ５７−２は、「ＯＦＦ」において、共通信号線ＣＯＭ２から開放される。
【００４４】
共通信号線ＣＯＭ１は、スイッチ５７−１とスイッチ５７−２とが「ＯＮ」である場合、出力バッファ５２−２と、出力バッファ５２−４の入力端子をショートさせる。これにより、出力バッファ５２−２と、出力バッファ５２−４との電荷の再配分を行うことができる。
【００４５】
また、共通信号線ＣＯＭ２は、スイッチ５８−１とスイッチ５８−２とが「ＯＮ」である場合、出力バッファ５２−１と、出力バッファ５２−３の入力端子をショートさせる。これにより、出力バッファ５２−１と、出力バッファ５２−３との電荷の再配分を行うことができる。
【００４６】
スイッチ５９−１は、共通信号線ＣＯＭ１と共通信号線ＣＯＭ２と接続されている。スイッチ５９−１は、ショート信号ＳＨＯＲＴ３を入力して、ショート信号ＳＨＯＲＴ３に基づいて、状態を「ＯＮ」または「ＯＦＦ」に選択する。スイッチ５９−１は、「ＯＮ」において、共通信号線ＣＯＭ１及び共通信号線ＣＯＭ２と接続される。スイッチ５９−１は、「ＯＦＦ」において、共通信号線ＣＯＭ１及び共通信号線ＣＯＭ２から開放される。
【００４７】
スイッチ５９−１は、スイッチ５７−１とスイッチ５７−２、及びスイッチ５８−１とスイッチ５８−２とが「ＯＮ」である場合に、「ＯＮ」へ移行する。スイッチ５９−１は、「ＯＮ」となると、共通信号線ＣＯＭ１と共通信号線ＣＯＭ２と接続して、出力バッファ５２−１〜４の各入力端子をショートさせる。これによって、出力バッファ５２−１〜４の電荷の再配分を行うことができる。
【００４８】
出力バッファ５２−１〜４は、それぞれ、入力した駆動電圧に駆動されて、駆動電圧を出力ＯＵＴ１〜４へ出力する。
【００４９】
以上が、本実施形態における駆動回路の構成の説明である。
【００５０】
［動作方法の説明］
次に、上記のように構成した本実施形態における駆動回路の動作方法について説明を行う。図５は、本実施形態における駆動回路の動作方法を示すタイミングチャートである。
【００５１】
図５において、極性制御信号ＰＯＬは、出力バッファの極性を制御する信号である。曲線制御信号ＰＯＬの反転に伴って、各出力バッファの出力が反対の極性へ駆動される。ストローブ信号ＳＴＢは、図示されない画像ＬＳＩからＤＡＣ４０へ、画像データの転送を制御する信号である。ＴＰ１は、スイッチ５５−１〜４を制御する信号であり、ＴＰ２は、スイッチ５６−１〜４を制御する信号である。また、ショート信号ＳＨＯＲＴ１は、スイッチ５７−１、２を制御する信号であり、ショート信号ＳＨＯＲＴ２は、スイッチ５８−１、２を制御する信号である。ショート信号ＳＨＯＲＴ３は、スイッチ５９−１を制御する信号である。ＯＵＴ１ＡＭＰＩＮＰＵＴは、出力バッファ５２−１の入力端子における駆動電圧レベルを示している。ＯＵＴ２ＡＭＰＩＮＰＵＴは、出力バッファ５２−２の入力端子における駆動電圧レベルを示している。
【００５２】
以下の説明では、出力バッファ５２−１が、負極の駆動電圧ＧＭＡ１０から正極の駆動電圧ＧＭＡ１へ駆動される場合を説明する。また、同時に、出力バッファ５２−１と駆動電圧の出力極性の異なる出力バッファ５２−２が、正極の駆動電圧ＧＭＡ１０から負極の駆動電圧ＧＭＡ１へ駆動される場合を説明する。なお、以下の説明において、ＧＭＡ１＝ＶＤＤ２、ＧＭＡ１０＝ＶＳＳ２として説明を行う。
【００５３】
本説明の初期状態において、出力バッファ５２−１は、スイッチ５６−１を介してセレクタ４３−２と接続されて、負極の駆動電圧（ＧＭＡ１０＝ＶＳＳ２）に駆動されている。この状態において、基準信号ＴＰ１は「Ｌ」であり、スイッチ５５−１〜４は「ＯＦＦ」である。基準信号ＴＰ２は「Ｈ」であり、スイッチ５６−１〜４は、「ＯＮ」である。また、ショート信号ＳＨＯＲＴ１〜３は、いずれも「Ｌ」であり、スイッチ５７−１、２、５８−１、２、及び５９−１は、いずれも「ＯＦＦ」である。
【００５４】
まず、（ａ）において、極性制御信号ＰＯＬが反転すると、ストローブ信号ＳＴＢが、「Ｈ」へ移行して、ＤＡＣ４０への画像データの伝送が開始される。ストローブ信号ＳＴＢが、「Ｈ」となると、ショート信号ＳＨＯＲＴ１、２が「Ｈ」となり、スイッチ５７−１、５７−２、及び、スイッチ５８−１、５８−２が「ＯＮ」となる。このとき、基準信号ＴＰ１は「Ｌ」のままであり、スイッチ５５−１〜４は、「ＯＦＦ」である。基準信号ＴＰ２は「Ｈ」のままであり、スイッチ５６−１〜４は、「ＯＮ」である。また、ショート信号ＳＨＯＲＴ３は、「Ｌ」のままであり、スイッチ５９−１は、「ＯＦＦ」である。
【００５５】
スイッチ５８−１、２が「ＯＮ」になることで、負極の駆動電圧を供給される出力バッファの入力端子間がショートされる。つまり、出力バッファ５２−１と、出力バッファ５２−３の入力端子間がショートされる。本実施形態では説明を省略しているが、同様に、負極の駆動電圧を供給される出力バッファの入力端子間もショートされる。このように、ＤＡＣ４０からの負極の駆動電圧が共通信号線ＣＯＭ２へ接続されることで、共通信号線ＣＯＭ２は、概ね１／４ＶＤＤ２程度となる。そのため、出力バッファ５２−１、５２−３は、１／４ＶＤＤ２に駆動される。
【００５６】
また、スイッチ５７−１、２が「ＯＮ」になることで、正極の駆動電圧を供給される出力バッファの入力端子間がショートされる。つまり、出力バッファ５２−２と、出力バッファ５２−４の入力端子間がショートされる。本実施形態では説明を省略しているが、同様に、正極の駆動電圧を供給される出力バッファの入力端子間もショートされる。このように、ＤＡＣ４０からの正極の駆動電圧が共通信号線ＣＯＭ１へ接続されることで、共通信号線ＣＯＭ１は、概ね３／４ＶＤＤ２程度となる。そのため、出力バッファ５２−２、５２−４は、３／４ＶＤＤ２に駆動される。
【００５７】
次に、（ｂ）において、基準信号ＴＰ２が「Ｌ」となり、スイッチ５６−１〜４が「ＯＦＦ」となる。このとき、基準信号ＴＰ１は「Ｌ」のままであり、スイッチ５５−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。また、ショート信号ＳＨＯＲＴ３は、「Ｌ」のままであり、スイッチ５９−１は、「ＯＦＦ」である。
【００５８】
この状態では、共通信号線ＣＯＭ２は、概ね１／４ＶＤＤ２程度を保持たままである。また、共通信号線ＣＯＭ１は、概ね３／４ＶＤＤ２程度を保持したままである。そのため、出力バッファ５２−１、５２−３は、１／４ＶＤＤ２に駆動されており、出力バッファ５２−２、５２−４は、３／４ＶＤＤ２に駆動されている。
【００５９】
次に、（ｃ）において、ショート信号ＳＨＯＲＴ３が「Ｈ」となり、スイッチ５９−１が「ＯＮ」となる。このとき、基準信号ＴＰ２は「Ｌ」のままであり、スイッチ５６−１〜４は「ＯＦＦ」である。基準信号ＴＰ１は「Ｌ」のままであり、スイッチ５５−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。
【００６０】
スイッチ５９−１が「ＯＮ」となることで、共通信号線ＣＯＭ１とＣＯＭ２との間が接続される。これによって、出力バッファ５２−１〜４の入力端子がショートされる。このように、共通信号線ＣＯＭ１とＣＯＭ２との間が接続されることで、共通信号線ＣＯＭ１、及びＣＯＭ２は、概ね１／２ＶＤＤ２程度となる。そのため、出力バッファ５２−１〜４は、１／２ＶＤＤ２に駆動される。
【００６１】
次に、（ｄ）において、ショート信号ＳＨＯＲＴ３が「Ｌ」となり、スイッチ５９−１が「ＯＦＦ」となる。このとき、基準信号ＴＰ２は「Ｌ」のままであり、スイッチ５６−１〜４は「ＯＦＦ」である。基準信号ＴＰ１は「Ｌ」のままであり、スイッチ５５−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。
【００６２】
この状態では、共通信号線ＣＯＭ１、及び共通信号線ＣＯＭ２は、概ね１／２ＶＤＤ２程度を保持したままである。そのため、出力バッファ５２−１〜４は、１／２ＶＤＤ２に駆動されている。
【００６３】
次に、（ｅ）において、基準信号ＴＰ１が「Ｈ」となり、スイッチ５５−１〜４が「ＯＮ」となる。このとき、基準信号ＴＰ２は「Ｌ」のままであり、スイッチ５６−１〜４は「ＯＦＦ」である。ショート信号ＳＨＯＲＴ１、２は「Ｈ」のままであり、スイッチ５７−１、５７−２、及び、スイッチ５８−１、５８−２は「ＯＮ」である。また、ショート信号ＳＨＯＲＴ３は、「Ｌ」であり、スイッチ５９−１は、「ＯＦＦ」である。
【００６４】
この状態において、出力バッファ５２−１は、スイッチ５５−１を介してセレクタ４３−１と接続されて、正極の駆動電圧を供給される。また、出力バッファ５２−２は、スイッチ５５−２を介してセレクタ４３−２と接続されて、負極の駆動電圧を供給される。このとき、スイッチ５７−１、５７−２は、「ＯＮ」である。そのため、出力バッファ５２−１、５２−３は、共通信号線ＣＯＭ２によりショートされている。これによって、共通信号線ＣＯＭ２は、概ね３／４ＶＤＤ２程度となる。出力バッファ５２−１の入力端子は、３／４ＶＤＤ２に駆動される。同様に、このとき、スイッチ及び５８−１、５８−２は、「ＯＮ」である。そのため、出力バッファ５２−２、５２−４は、共通信号線ＣＯＭ１によりショートされている。これによって、共通信号線ＣＯＭ１は、概ね１／４ＶＤＤ２程度となる。出力バッファ５２−２の入力端子は、１／４ＶＤＤ２に駆動される。
【００６５】
次に、（ｆ）において、ショート信号ＳＨＯＲＴ１、２が「Ｌ」となり、スイッチ５５−１〜４、５６−１〜４が「ＯＦＦ」となる。このとき、基準信号ＴＰ１は、「Ｈ」のままであり、スイッチ５５−１〜４は、「ＯＮ」である。基準信号ＴＰ２は「Ｌ」のままであり、スイッチ５６−１〜４は「ＯＦＦ」である。ショート信号ＳＨＯＲＴ３は、「Ｌ」であり、スイッチ５９−１は、「ＯＦＦ」である。
【００６６】
この状態において、出力バッファ５２−１は、スイッチ５５−１を介してセレクタ４３−１と接続されて、正極の駆動電圧を入力している。出力バッファ５２−１は、スイッチ５８−１が「ＯＦＦ」となることで、セレクタ４３−１からの正極の駆動電圧であるＶＤＤ２に駆動される。また、出力バッファ５２−２は、スイッチ５５−２を介してセレクタ４３−２と接続されて、負極の駆動電圧を入力している。出力バッファ５２−２は、スイッチ５７−１が「ＯＦＦ」となることで、セレクタ４３−２からの負極の駆動電圧であるＶＳＳ２に駆動される。
【００６７】
このようにして、出力バッファ５２−１は、負極の駆動電圧から正極の駆動電圧へ駆動され、出力バッファ５２−２は、正極の駆動電圧から負極の駆動電圧へ駆動される。この後、極性制御信号ＰＯＬが反転して、ストローブ信号ＳＴＢが再び「Ｈ」へ移行すると、各出力バッファの駆動電圧の極性反転が開始する。
【００６８】
まず、極性制御信号ＰＯＬが反転すると、（ｇ）において、ストローブ信号ＳＴＢが、「Ｈ」へ移行して、ＤＡＣ４０への画像データの伝送が開始される。ストローブ信号ＳＴＢが、「Ｈ」となると、ショート信号ＳＨＯＲＴ１、２が「Ｈ」となり、スイッチ５７−１、５７−２、及び、スイッチ５８−１、５８−２が「ＯＮ」となる。このとき、基準信号ＴＰ１は「Ｈ」のままであり、スイッチ５５−１〜４は、「ＯＮ」である。基準信号ＴＰ２は「Ｌ」のままであり、スイッチ５６−１〜４は、「ＯＦＦ」である。また、ショート信号ＳＨＯＲＴ３は、「Ｌ」のままであり、スイッチ５９−１は、「ＯＦＦ」である。
【００６９】
スイッチ５８−１、２が「ＯＮ」になることで、正極の駆動電圧を供給される出力バッファの入力端子間がショートされる。つまり、出力バッファ５２−１と、出力バッファ５２−３の入力端子間がショートされる。このように、ＤＡＣ４０からの正極の駆動電圧が、共通信号線ＣＯＭ２へ接続されることで、共通信号線ＣＯＭ２は、概ね３／４ＶＤＤ２程度となる。そのため、出力バッファ５２−１、５２−３は、３／４ＶＤＤ２に駆動される。
【００７０】
また、スイッチ５７−１、２が「ＯＮ」になることで、負極の駆動電圧を供給される出力バッファの入力端子間がショートされる。つまり、出力バッファ５２−２と、出力バッファ５２−４の入力端子間がショートされる。このように、ＤＡＣ４０からの負極の駆動電圧が共通信号線ＣＯＭ１へ接続されることで、共通信号線ＣＯＭ１は、概ね１／４ＶＤＤ２程度となる。そのため、出力バッファ５２−２、５２−４は、１／４ＶＤＤ２に駆動される。
【００７１】
次に、（ｈ）において、基準信号ＴＰ１が「Ｌ」となり、スイッチ５５−１〜４が「ＯＦＦ」となる。このとき、基準信号ＴＰ２は「Ｌ」のままであり、スイッチ５６−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。また、ショート信号ＳＨＯＲＴ３は、「Ｌ」のままであり、スイッチ５９−１は、「ＯＦＦ」である。
【００７２】
この状態では、共通信号線ＣＯＭ２は、概ね３／４ＶＤＤ２程度を保持したままである。また、共通信号線ＣＯＭ１は、概ね１／４ＶＤＤ２程度を保持したままである。そのため、出力バッファ５２−１、５２−３は、３／４ＶＤＤ２に駆動されており、出力バッファ５２−２、５２−４は、１／４ＶＤＤ２に駆動されている。
【００７３】
次に、（ｉ）において、ショート信号ＳＨＯＲＴ３が「Ｈ」となり、スイッチ５９−１が「ＯＮ」となる。このとき、基準信号ＴＰ２は「Ｌ」のままであり、スイッチ５６−１〜４は「ＯＦＦ」である。基準信号ＴＰ１は「Ｌ」のままであり、スイッチ５５−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。
【００７４】
スイッチ５９−１が「ＯＮ」となることで、共通信号線ＣＯＭ１、ＣＯＭ２間が接続される。これによって、出力バッファ５２−１〜４の入力端子がショートされる。このように、共通信号線ＣＯＭ１、ＣＯＭ２間が接続されることで、共通信号線ＣＯＭ１、ＣＯＭ２は、概ね１／２ＶＤＤ２程度となる。そのため、出力バッファ５２−１、及び５２−２は、１／２ＶＤＤ２に駆動される。
【００７５】
次に、（ｊ）において、ショート信号ＳＨＯＲＴ３が「Ｌ」となり、スイッチ５９−１が「ＯＦＦ」となる。このとき、基準信号ＴＰ２は「Ｌ」のままであり、スイッチ５６−１〜４は「ＯＦＦ」である。基準信号ＴＰ１は「Ｌ」のままであり、スイッチ５５−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。
【００７６】
この状態では、共通信号線ＣＯＭ１、及び共通信号線ＣＯＭ２は、概ね１／２ＶＤＤ２程度を保持したままである。そのため、出力バッファ５２−１、及び５２−２は、１／２ＶＤＤ２に駆動されている。
【００７７】
次に、（ｋ）において、基準信号ＴＰ２が「Ｈ」となり、スイッチ５６−１〜４が「ＯＮ」となる。このとき、基準信号ＴＰ１は「Ｌ」のままであり、スイッチ５５−１〜４は「ＯＦＦ」である。ショート信号ＳＨＯＲＴ１、２は「Ｈ」のままであり、スイッチ５７−１、５７−２、及び、スイッチ５８−１、５８−２は「ＯＮ」である。また、ショート信号ＳＨＯＲＴ３は、「Ｌ」であり、スイッチ５９−１は、「ＯＦＦ」である。
【００７８】
この状態において、出力バッファ５２−１は、スイッチ５６−１を介してセレクタ４３−２と接続されて、負極の駆動電圧を供給される。また、出力バッファ５２−２は、スイッチ５６−２を介してセレクタ４３−１と接続されて、正極の駆動電圧を供給される。このとき、スイッチ５７−１、５７−２は、「ＯＮ」である。そのため、出力バッファ５２−１、５２−３は、共通信号線ＣＯＭ２によりショートされている。これによって、共通信号線ＣＯＭ２は、概ね１／４ＶＤＤ２程度となる。出力バッファ５２−１の入力端子は、１／４ＶＤＤ２に駆動される。同様に、このとき、スイッチ及び５８−１、５８−２は、「ＯＮ」である。そのため、出力バッファ５２−２、５２−４は、共通信号線ＣＯＭ１によりショートされている。これによって、共通信号線ＣＯＭ１は、概ね３／４ＶＤＤ２程度となる。出力バッファ５２−２の入力端子は、３／４ＶＤＤ２に駆動される。
【００７９】
次に、（ｌ）において、ショート信号ＳＨＯＲＴ１、２が「Ｌ」となり、スイッチ５５−１〜４、５６−１〜４が「ＯＦＦ」となる。このとき、基準信号ＴＰ１は、「Ｌ」のままであり、スイッチ５５−１〜４は、「ＯＦＦ」である。基準信号ＴＰ２は「Ｈ」のままであり、スイッチ５６−１〜４は「ＯＮ」である。ショート信号ＳＨＯＲＴ３は、「Ｌ」であり、スイッチ５９−１は、「ＯＦＦ」である。
【００８０】
この状態において、出力バッファ５２−１は、スイッチ５６−１を介してセレクタ４３−２と接続されて、負極の駆動電圧を入力している。出力バッファ５２−１は、スイッチ５８−１が「ＯＦＦ」となることで、セレクタ４３−２からの負極の駆動電圧であるＶＳＳ２に駆動される。また、出力バッファ５２−２は、スイッチ５６−２を介してセレクタ４３−１と接続されて、正極の駆動電圧を入力している。出力バッファ５２−２は、スイッチ５７−１が「ＯＦＦ」となることで、セレクタ４３−１からの正極の駆動電圧であるＶＤＤ２に駆動される。
【００８１】
このようにして、出力バッファ５２−１は、正極の駆動電圧から負極の駆動電圧へ駆動され、出力バッファ５２−２は、負極の駆動電圧から正極の駆動電圧へ駆動される。この後、極性制御信号ＰＯＬが反転して、ストローブ信号ＳＴＢが再び「Ｈ」へ移行すると、各出力バッファの駆動電圧の極性反転が行われて、上述した（ａ）〜（ｌ）の動作が繰りかえされることになる。以上が、本実施形態における駆動回路の動作方法の説明である。
【００８２】
ここまで、本実施形態における駆動回路の説明を行った。本実施形態の駆動回路は、極性（正極、負極）が同一である出力バッファの入力端子をショートさせる共通信号線ＣＯＭ１と、共通信号線ＣＯＭ２とを備える。また、共通信号線ＣＯＭ１と、共通信号線ＣＯＭ２とを接続するスイッチ５９−１を備える。
【００８３】
このように構成された出力回路５０は、まず、出力バッファの入力端子を正極、あるいは負極の駆動電圧を出力するセレクタと接続した状態で、共通信号線ＣＯＭ１、あるいはＣＯＭ２へ出力バッファの入力端子を接続させて、同一の極性の出力バッファの入力端子間をショートさせる。次に、出力回路５０は、共通信号線ＣＯＭ１、あるいはＣＯＭ２へ、各出力バッファの入力端子を接続させた状態でＤＡＣ４０を切り離すと、スイッチ５９−１を「ＯＮ」にして、共通信号線ＣＯＭ１と共通信号線ＣＯＭ２とをショートさせる。
【００８４】
さらに、出力回路５０は、共通信号線ＣＯＭ１、あるいはＣＯＭ２へ、出力バッファの入力端子を接続した状態で、スイッチ５９−１を「ＯＦＦ」にして共通信号線ＣＯＭ１と共通信号線ＣＯＭ２とを開放すると、出力バッファの入力端子を反対の極性の駆動電圧を出力するセレクタと接続する。出力回路５０は、出力バッファの入力端子を反対の極性の駆動電圧を出力するセレクタと接続した状態で、共通信号線ＣＯＭ１、あるいはＣＯＭ２から、出力バッファの入力端子を開放して、反対の極性のセレクタから入力する駆動電圧で駆動する。
【００８５】
このように、本実施形態の駆動回路は、出力バッファの入力端子をハイインピーダンス状態とすることなく、駆動電圧を連続的に変化させることが可能である。そのため、出力バッファに対して常に駆動電圧を供給することができ、出力バッファの駆動時間を短縮することが可能であり、出力バッファの出力遅延を改善することができる。
【００８６】
なお、本実施形態において、前述したとおり図４は、ＤＡＣ４０、及び出力回路５０の一部のみを示している。しかし、図４に図示されないセレクタや、スイッチや、出力アンプについても、上述と同様の構成及び動作方法となる。
【００８７】
（第２実施形態）
次に、本発明の第２実施形態の駆動回路の説明を行う。
【００８８】
［構成の説明］
まず、本実施形態における駆動回路の構成の説明を行う。図６は、本実施形態における駆動回路の構成を示す図である。なお、本実施形態における駆動回路の構成は、第１実施形態における駆動回路の構成とほぼ同じである。そのため、以下の説明では、第１実施形態と構成が同じ部分に関しては説明を省略して、構成の異なる部分を中心に説明を行う。また、以下の説明において、第１実施形態と同様の構成については、同様の符号を付して説明を行う。
【００８９】
本実施形態の駆動回路は、第１実施形態と同様に、Ｄ／Ａコンバータ（以下、ＤＡＣ）４０と、出力回路５０とを備える。ＤＡＣ４０は、図示されない前段の回路から入力する画像データに応じて、ＬＣＤパネルの液晶素子に印加する正極及び負極の駆動信号をそれぞれ生成する。出力回路５０は、ＤＡＣ４０から入力する駆動信号をカラム線毎に極性を切り替えて出力する。
【００９０】
ＤＡＣ４０は、抵抗アレイ４１、４２と、複数のセレクタ４３−１〜４とを備える。なお、ＤＡＣ４０は、第１実施形態と同様であるので説明を省略する。また、図６は、説明の簡易のため、ＤＡＣ４０の一部を示している。ＤＡＣ４０は、駆動するべきカラム線の本数に応じた数のセレクタを備える。
【００９１】
出力回路５０は、第１実施形態と同様に、出力バッファ５２−１〜４と、スイッチ５５−１〜４と、スイッチ５６−１〜４と、スイッチ５７−１〜２と、スイッチ５８−１〜２と、スイッチ５９−１とを備え、さらに、スイッチ５９−２、５９−３を備える。なお、図４は、説明の簡易のため、出力回路５０の一部を示している。出力回路５０は、駆動するべきカラム線の本数に応じた数の出力バッファと、各スイッチとを備える。
【００９２】
出力バッファ５２−１〜４と、スイッチ５５−１〜４と、スイッチ５６−１〜４と、スイッチ５７−１〜２と、スイッチ５８−１〜２と、スイッチ５９−１とは、接続構成を含めて第１実施形態と同様であるので説明を省略する。
【００９３】
スイッチ５９−２は、共通信号線ＣＯＭ２と共通信号線ＣＯＭ３とを接続する。スイッチ５９−２は、ショート信号ＳＨＯＲＴ４を入力して、ショート信号ＳＨＯＲＴ４に基づいて、状態を「ＯＮ」または、「ＯＦＦ」に選択する。スイッチ５９−２は、「ＯＮ」において、共通信号線ＣＯＭ２と共通信号線３とを接続する。スイッチ５９−２は、「ＯＦＦ」において、共通信号線ＣＯＭ２と共通信号線ＣＯＭ３とを開放する。
【００９４】
スイッチ５９−３は、共通信号線ＣＯＭ１と共通信号線ＣＯＭ３とを接続する。スイッチ５９−３は、ショート信号ＳＨＯＲＴ４を入力して、ショート信号ＳＨＯＲＴ４に基づいて、状態を「ＯＮ」または、「ＯＦＦ」に選択する。スイッチ５９−３は、「ＯＮ」において、共通信号線ＣＯＭ１と共通信号線３とを接続する。スイッチ５９−３は、「ＯＦＦ」において、共通信号線ＣＯＭ１と共通信号線ＣＯＭ３とを開放する。
【００９５】
本実施形態において、共通信号線ＣＯＭ３は、電位を１／２ＶＤＤ２に保たれている。スイッチ５９−２、及びスイッチ５９−３は、「ＯＮ」において、共通信号線ＣＯＭ１、及びＣＯＭ２を、それぞれＣＯＭ３と接続させることで、共通信号線ＣＯＭ１、及びＣＯＭ２の電位を、１／２ＶＤＤ２とする。
【００９６】
以上が、本実施形態における駆動回路の構成の説明である。上述以外の構成については、第１実施形態と同様である。
【００９７】
［動作方法の説明］
次に、上記のように構成した本実施形態における駆動回路の動作方法について説明を行う。図７は、本実施形態における駆動回路の動作方法を示すタイミングチャートである。なお、本実施形態における駆動回路の動作方法は、第１実施形態における駆動回路の動作方法とほぼ同じである。そのため、以下の説明では、第１実施形態と構成が同じ動作方法に関しては説明を省略して、動作方法の異なる部分を中心に説明を行う。
【００９８】
図７において、ショート信号ＳＨＯＲＴ４は、スイッチ５９−２、及び５９−３を制御する信号である。ショート信号ＳＨＯＲＴ４以外は、第一実施形態と同様である。すなわち、極性制御信号ＰＯＬは、出力バッファの極性を制御する信号である。ストローブ信号ＳＴＢは、図示されない画像ＬＳＩからＤＡＣ４０へ、画像データの転送を制御する信号である。ＴＰ１は、スイッチ５５−１〜４を制御する信号であり、ＴＰ２は、スイッチ５６−１〜４を制御する信号である。また、ショート信号ＳＨＯＲＴ１は、スイッチ５７−１、２を制御する信号であり、ショート信号ＳＨＯＲＴ２は、スイッチ５８−１、２を制御する信号である。ショート信号ＳＨＯＲＴ３は、スイッチ５９−１を制御する信号である。ＯＵＴ１ＡＭＰＩＮＰＵＴは、出力バッファ５２−１の入力端子における駆動電圧レベルを示している。ＯＵＴ２ＡＭＰＩＮＰＵＴは、出力バッファ５２−２の入力端子における駆動電圧レベルを示している。
【００９９】
また、以下の説明では、第１実施形態と同様に、出力バッファ５２−１が、負極の駆動電圧ＧＭＡ１０から正極の駆動電圧ＧＭＡ１へ駆動される場合を説明する。また、同時に、出力バッファ５２−１と駆動電圧の出力極性の異なる出力バッファ５２−２が、正極の駆動電圧ＧＭＡ１０から負極の駆動電圧ＧＭＡ１へ駆動される場合を説明する。なお、以下の説明において、ＧＭＡ１＝ＶＤＤ２、ＧＭＡ１０＝ＶＳＳ２として説明を行う。
【０１００】
本実施形態における駆動回路の動作方法は、図７の（ｃ）、（ｄ）、（ｉ）、及び（ｊ）が、第１実施形態と異なる。まず、図７の（ｃ）、及び（ｄ）では、以下のような動作方法となる。
【０１０１】
（ｃ）において、ショート信号ＳＨＯＲＴ３が「Ｈ」となり、スイッチ５９−１が「ＯＮ」となる。また、同時に、ショート信号ＳＨＯＲＴ４が「Ｈ」となり、スイッチ５９−２、及びスイッチ５９−３が「ＯＮ」となる。このとき、基準信号ＴＰ２は「Ｌ」のままであり、スイッチ５６−１〜４は「ＯＦＦ」である。基準信号ＴＰ１は「Ｌ」のままであり、スイッチ５５−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。
【０１０２】
スイッチ５９−１が「ＯＮ」となることで、共通信号線ＣＯＭ１、ＣＯＭ２間が接続される。これによって、出力バッファ５２−１〜４の入力端子がショートされる。さらに、スイッチ５９−２、及びスイッチ５９−３が「ＯＮ」となることで、共通信号線ＣＯＭ１、及びＣＯＭ２が、共通信号線ＣＯＭ３と接続される。共通信号線ＣＯＭ３は、電位を１／２ＶＤＤ２に保たれており、共通信号線ＣＯＭ１、及びＣＯＭ２は、共通信号線ＣＯＭ３と接続されることで、電位を１／２ＶＤＤ２とされる。そのため、出力バッファ５２−１〜４は、１／２ＶＤＤ２に駆動される。
【０１０３】
次に、（ｄ）において、ショート信号ＳＨＯＲＴ３が「Ｌ」となり、スイッチ５９−１が「ＯＦＦ」となる。また、ショート信号ＳＨＯＲＴ４が「Ｌ」となり、スイッチ５９−２、及びスイッチ５９−３が「ＯＦＦ」となる。このとき、基準信号ＴＰ２は「Ｌ」のままであり、スイッチ５６−１〜４は「ＯＦＦ」である。基準信号ＴＰ１は「Ｌ」のままであり、スイッチ５５−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。
【０１０４】
この状態では、共通信号線ＣＯＭ１、及び共通信号線ＣＯＭ２は、電位を１／２ＶＤＤ２に保持したままである。そのため、出力バッファ５２−１〜４は、１／２ＶＤＤ２に駆動されている。
【０１０５】
続いて、図７の（ｉ）、（ｊ）では、以下のような動作方法となる。
【０１０６】
（ｉ）において、ショート信号ＳＨＯＲＴ３が「Ｈ」となり、スイッチ５９−１が「ＯＮ」となる。また、ショート信号ＳＨＯＲＴ４が「Ｈ」となり、スイッチ５９−２、及び５９−３が「ＯＮ」となる。このとき、基準信号ＴＰ２は「Ｌ」のままであり、スイッチ５６−１〜４は「ＯＦＦ」である。基準信号ＴＰ１は「Ｌ」のままであり、スイッチ５５−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。
【０１０７】
スイッチ５９−１が「ＯＮ」となることで、共通信号線ＣＯＭ１、ＣＯＭ２間が接続される。これによって、出力バッファ５２−１〜４の入力端子がショートされる。さらに、スイッチ５９−２、及びスイッチ５９−３が「ＯＮ」となることで、共通信号線ＣＯＭ１、及びＣＯＭ２が、共通信号線ＣＯＭ３と接続される。共通信号線ＣＯＭ３は、電位を１／２ＶＤＤ２に保たれており、共通信号線ＣＯＭ１、及びＣＯＭ２は、共通信号線ＣＯＭ３と接続されることで、電位を１／２ＶＤＤ２とされる。そのため、出力バッファ５２−１、及び５２−２は、１／２ＶＤＤ２に駆動される。
【０１０８】
次に、（ｊ）において、ショート信号ＳＨＯＲＴ３が「Ｌ」となり、スイッチ５９−１が「ＯＦＦ」となる。また、ショート信号ＳＨＯＲＴ４が「Ｌ」となり、スイッチ５９−２、及びスイッチ５９−３が「ＯＦＦ」となる。このとき、基準信号ＴＰ２は「Ｌ」のままであり、スイッチ５６−１〜４は「ＯＦＦ」である。基準信号ＴＰ１は「Ｌ」のままであり、スイッチ５５−１〜４は、「ＯＦＦ」である。ショート信号ＳＨＯＲＴ１、２は「Ｈ」のままであり、スイッチ５７−１、５７−２、及び、スイッチ５８−１、５８−２は「ＯＮ」である。
【０１０９】
この状態では、共通信号線ＣＯＭ１、及び共通信号線ＣＯＭ２は、概ね１／２ＶＤＤ２程度を保持したままである。そのため、出力バッファ５２−１、及び５２−２は、１／２ＶＤＤ２に駆動されている。
【０１１０】
以上が、本実施形態における駆動回路の動作方法の説明である。上述した（ｃ）、（ｄ）、（ｉ）、及び（ｊ）以外において、ショート信号ＳＨＯＲＴ４は、「Ｌ」であり、他の動作方法に影響しない。そのため、上述した動作方法以外は、第１実施形態と同様である。
【０１１１】
ここまで、本実施形態における駆動回路の説明を行った。本実施形態の駆動回路によれば、本実施形態の駆動回路は、スイッチ５９−２、及び５９−３により、共通信号線ＣＯＭ１、及びＣＯＭ２と、共通信号線ＣＯＭ３とを接続する。共通信号線ＣＯＭ３は、電位を１／２ＶＤＤ２へ保たれている。本実施形態の駆動回路は、共通信号線ＣＯＭ３により共通信号線ＣＯＭ１及びＣＯＭ２を強制的に１／２ＶＤＤ２とすることで、共通信号線ＣＯＭ１及びＣＯＭ２の電位を、確実かつ短時間で１／２ＶＤＤ２とすることができる。そのため、出力バッファの更なる駆動時間短縮を図ることができる。
【０１１２】
このように、本発明の駆動回路は、出力バッファへの駆動電圧を連続的に変化させることができるため、出力バッファの入力端子をハイインピーダンス状態とすることなく出力バッファに対して常に駆動電圧を駆動することが可能である。そのため、出力バッファの駆動時間の短縮、出力バッファの出力遅延の改善を図ることができる。
【０１１３】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【０１１４】
４０  Ｄ／Ａコンバータ
４１  抵抗アレイ
４２  抵抗アレイ
４３−１〜４３−４  セレクタ
５０  出力回路
５２−１〜５２−４  出力バッファ
５３−１〜５３−４  スイッチ
５４−１〜５４−４  スイッチ
５５−１〜５５−４  スイッチ
５６−１〜５６−４  スイッチ
５７−１〜５７−２  スイッチ
５８−１〜５８−２  スイッチ
５９−１〜５９−４  スイッチ
【図１】
2011017776.tif 000003
【図２】
2011017776.tif 000004
【図３】
2011017776.tif 000005
【図４】
2011017776.tif 000006
【図５】
2011017776.tif 000007
【図６】
2011017776.tif 000008
【図７】
2011017776.tif 000009